(57)【要約】  光療法システムは、保持可能なスポット付与装置アセンブリ内に配置された放射ランプ（例えばＬＥＤ）に対する治療ランププラットフォームを備えている。保持可能なスポット付与装置アセンブリは、患者の方を向く反射面と、ランプから出たランプ放射をユーザに伝達するための複数のＬＥＤとを含んでいる。ランプ及び関連回路が、保持可能な細長い構造物内に収容されている。
2018518311.tif 000002
【特許請求の範囲】
【請求項１】
光線療法装置であって、
治療ランププラットフォームを備え、前記治療ランププラットフォームは細長い構造物を備え、前記細長い構造物は凹面反射端部を含み、前記凹面反射端部は複数の放射ランプを含み、前記複数の放射ランプは、異波長放射エネルギーの混合組み合わせを有し、かつ前記放射エネルギーをユーザ処置領域へ伝達するように配置され、前記凹面反射端部は、前記放射放射エネルギーを前記複数の放射ランプから前記ユーザ処置領域へ伝達するように構成され、前記凹面反射端部は、前記放射エネルギーを前記ユーザ処置領域上で分散する、光線療法装置。
【請求項２】
前記凹面反射端部は、前記細長い構造物の長手方向軸から角度的にずれている、請求項１に記載の光線療法装置。
【請求項３】
前記複数の放射ランプは、前記細長い構造物の前記長手方向軸からの前記角度的ずれに対して実質的に装着及び位置合わせされている、請求項２に記載の光線療法装置。
【請求項４】
前記細長い構造物は、
前記細長い構造物内に収容されたメイン回路基板と、
電池と、
制御ボタンと、を更に含み、
前記メイン回路基板、前記電池、及び前記制御ボタンは、前記複数の放射ランプを制御するように動作可能に接続されている、請求項１に記載の光線療法装置。
【請求項５】
前記凹面反射端部を覆う取り外し可能なエンドキャップを更に備える、請求項１に記載の光線療法装置。
【請求項６】
前記複数の放射ランプ上に設けられた固定カバーを更に備え、前記固定カバーは、前記複数の放射ランプから前記ユーザ処置領域に伝達される前記放射エネルギーに対して透明である、請求項１に記載の光線療法装置。
【請求項７】
前記凹面反射端部は、前記放射エネルギーを伝達するための１つ又は２つ以上の開口部を含む、請求項１に記載の光線療法装置。
【請求項８】
放射エネルギー投与時間を制御するように構成されたコントローラを更に備える、請求項１に記載の光線療法装置。
【請求項９】
光線療法装置であって、
細長い構造物を備え、前記細長い構造物は、凹面反射端部と複数の放射ランプとを含み、前記複数の放射ランプは、放射エネルギーを前記凹面反射端部からユーザ処置領域へ伝達するように動作可能に配置され、前記凹面反射端部は、前記放射エネルギーを前記ユーザ処置領域上で分散する、光線療法装置。
【請求項１０】
前記凹面反射端部は、前記細長い構造物の長手方向軸から角度的にずれている、請求項９に記載の光線療法装置。
【請求項１１】
前記複数の放射ランプは、前記細長い構造物の前記長手方向軸からの前記角度的ずれに対して実質的に装着及び位置合わせされている、請求項９に記載の光線療法装置。
【請求項１２】
前記細長い構造物は、
前記細長い構造物内に収容されたメイン回路基板と、
電池と、
制御ボタンと、を更に含み、
前記メイン回路基板、前記電池、及び前記制御ボタンは、前記複数の放射ランプを制御するように動作可能に接続されている、請求項９に記載の光線療法装置。
【請求項１３】
前記凹面反射端部を覆う取り外し可能なエンドキャップを更に備える、請求項９に記載の光線療法装置。
【請求項１４】
前記複数の放射ランプ上に設けられた固定カバーを更に備え、前記固定カバーは、前記複数の放射ランプから前記ユーザ処置領域に伝達される前記放射エネルギーに対して透明である、請求項９に記載の光線療法装置。
【請求項１５】
前記凹面反射端部は、前記放射エネルギーを伝達するための１つ又は２つ以上の開口部を含む、請求項９に記載の光線療法装置。
【請求項１６】
放射エネルギー投与時間を制御するように構成されたコントローラを更に備える、請求項９に記載の光線療法装置。
【発明の詳細な説明】
【開示の内容】
【０００１】
本出願は、米国特許出願第１４／３２４，４５３号（２０１４年７月７日に出願）の一部継続出願である。この出願は、米国特許出願第１３／６０４，０１２号（２０１２年９月５日に出願）（現在は米国特許第８，７７１，３２８）の分割出願であり、米国仮特許出願第第６１／５３２，１４０（２０１１年９月８日に出願）に対する優先権を主張する。本出願は、米国特許出願第１４／５６７，５５２号（２０１４年１２月１１日に出願）の一部継続出願であり、米国仮特許出願第６１／９１４，６２４（２０１３年１２月１１日に出願）に対する優先権を主張し、これらの開示内容は本明細書において参照により取り入れられている。
【技術分野】
【０００２】
本実施形態は、発光ダイオード（ＬＥＤ）光線療法を用いて皮膚健康を改善する（例えば、老化防止強化、にきび予防、又はにきび治療）ための光ベースの皮膚治療処置を供給するための装置及び方法に関するが、他のタイプの光放射源が使用されてもよい。
【背景技術】
【０００３】
ＬＥＤ（青色又は赤色）によって放射されるあるスペクトルの光は、座瘡などの疾患に対する皮膚処置のための療法として知られており、又は皮膚の加齢防止に効果がある。しかしながら、調整可能であって又は適応力があって、異なる寸法と形状に適合し、ユーザには不快感なく使用が容易な、ウェアラブルマスク、ベール又はフードなどの便利な家庭用光治療供給装置をユーザ／患者に提供する必要性がある。市場で現在入手可能な家庭用の、消費者が使用可能な製品は、１つの寸法に固定され、及び／又は通常は手に持たなければならず、それは、最良の又は所望の光分散を提供するには、概して満足が得られていない。代替案は、顧客が医院を訪問して処置を受けることである。
【０００４】
既知の光治療装置、具体的にはマスクには、ＬＥＤ及びＬＥＤに給電する関連回路が、ユーザによる接触に晒されることに関する問題がある。より具体的には、患者への光伝達を最大にするための努力の中では、ＬＥＤが、患者に物理的に係合（例えば接触）されることを、又は汚れと油脂の堆積の結果としてＬＥＤを消耗させる経過となる処置面への接触さえも、許容する方式でＬＥＤが配置されてきている。更に、かかるどのような係合も、ＬＥＤの鋭い又は高温の端部及び関連回路に晒される患者にとっては危険であり得る。詳細回路の暴露は、治療の完了までに数分の時間を要する場合には心配で不快な経験となり、マスクが比較的顔の近くに配置されることで、患者にある時間にわたって、心地の悪い、閉所恐怖症の感覚を呼び起こすことも多い。
【０００５】
ハンドフリーの治療体験は、治療中に装置を長時間特定の位置に保持しなければならない場合より常に優れている。マスク及びヘルメットのような装置を、種々のストラップ、ハンド、包装体、及び紐に装着するための多数のアセンブリが考案されてきたが、それらは、支持体と装着アセンブリを患者の毛髪又は頭皮に対して近くに押し付ける結果となり得る。一方では本主題の装置が患者の上に確実に固定されるように、またそればかりでなく、取り付け構造が、治療それ自体の間での患者の快適さに最小限の因果関係しかないように、このような取り付けアセンブリの大きさを最小化する要求が常に存在する。比較的軽量であること、及び治療のための使用中に容易で最小限の保持ですむことは、消費者に受け入れられるために重要である。
【０００６】
ユーザの形状と寸法は多様であるため、治療が所望の治療領域に対して効果的に適用されるように、及び／又は選択的に強化されるように、装置は寸法と領域に対して調整可能とされるべきである。
【０００７】
最後に、具体的には治療装置で処置する顔面領域では、患者の眼への光損傷又は炎症を回避するために、眼の保護が必要である、既知の装置は、眼領域上に置かれて眼システム自体への治療光の伝達を妨げる分離可能なパッチを典型的に使用していた。具体的には抗加齢処置に関連して、眼の近傍領域に治療光を伝達させ、なお患者を保護するために容易に適用可能なより良い方法への要求が存在する。
【発明の概要】
【発明が解決しようとする課題】
【０００８】
本開示の別の態様によれば、保持可能なスポット光線療法処置装置の実施形態が開示される。光線療法スポット付与は、ユーザの処置領域（例えば、ユーザの顔）の比較的小さい範囲を処置して、皮膚状態（例えば、にきび）を防止及び／又は処置する必要性に対処している。本開示は最初に、顔面マスクを含む光線療法プラットフォームシステムについて説明するが、開示された光線療法技術を、保持可能な光線療法スポット付与装置内に含むために更なる実施形態を例示して説明する。
【０００９】
光線療法顔面マスクプラットフォームの場合と同様に、開示される光線療法スポット付与装置によって、使いやすい家庭用光線療法供給装置が提供される。
【００１０】
光治療の利益を使用する代替えの手段を、暴露中の治療効果を最大化して、一方では使用の容易さと便利さを維持しながら提供することが所望される。このため、本開示の範囲内で、ユーザの条件と必要性に応じて種々のエネルギー変更の応用を組み込んだ多様な軽量で、適応力のある、調整可能な実施形態が開示される。
【課題を解決するための手段】
【００１１】
本実施形態は、光線療法システム及び装置を備え、その光線療法システム及び装置が、ランプがそこに取り付けられた第１の壁と、より患者に近く、第１の壁から離間された第２の壁と、を備えるアセンブリ内に配置された、ＬＥＤのような放射ランプの治療ランププラットフォームを備え、ランプは第１の壁に関して凹部に置かれる。第２の壁は、患者に対向する反射面と、ランプからユーザへのランプ放射の伝達のための、第１の壁上のＬＥＤと実質的に整列した複数の光開口と、を備える。ランプ及び関連回路は、反射面が患者に向かって比較的滑らかでシームレスとなるように、第１の壁と第２の壁との間に配置される。ランプの数は、回路の数と同じように最小化され、他のアセンブリ材料は比較的軽量のアセンブリとなるように意図的に選択され、治療セッション中のユーザの快適性を高める結果をもたらす。壁はユーザに関して適応力のある調整可能性のために、柔軟な硬さを有する。より具体的には、壁は、ユーザの顔面に関して凹面構成を有し、その構成は、静止位置に関して調整可能であり、使用中のユーザへの緊密な適合と確実な係合のために、ユーザの頭部寸法に関して拡大可能となっている。装置は、ランプ放射からユーザの眼を遮蔽するためのレンズを含む眼鏡フレーム又はゴーグルを備えるフレームと共に、ユーザに装着される。実施形態の調整可能性は、支持フレームに関して枢動可能な壁によって更に高められ、そこではフレームが、ユーザの頭部寸法に関する選択的調整可能性のための伸縮自在のテンプルアームを含んでもよい。したがって、装置は患者の上にウェアラブルハンドフリーマスクなどとして支持される。電源は、エネルギーをランプに伝達し、遠隔バッテリパックを備え、そしてユーザ用に装置の使用回数をカウントするための、及び所定の使用回数後の装置交換の必要性を示すための、制御プロセッサを更に含んでもよい。
【００１２】
本実施形態は、サイズに基づこうが状態に基づこうが、ユーザの受容面に適合可能な光ベースの治療を実現するための調整可能な／可撓性のプラットフォームを含む。光線療法は、光の種類を限定することなく、また治療の最終目的（すなわち、美容、健康、及び／又は創傷治癒）を限定することなく、適用することができる。これらの光源は、放射エネルギー供給の形態では異なってもよい。パルス光（ＩＰＬ）、集束光（レーザ）、及び光エネルギーを扱う別の方法が、本実施形態に包含される。光放射の別の方法として、連続、パルス、集束、発散、多波長、単波長、可視及び／又は非可視光波長があり得る。
【００１３】
本実施形態では、成形／フィットされたマスク、ゴーグル、アイマスク、シュラウド、又はフード、及び顔面マスク（まとめて「マスク」と言う）などの形態であって、ＬＥＤ光が、療法的注意に向けた顔面サイズ又は面積の変化に適応するように調整可能なＬＥＤ電球又はＬＥＤストリップから発せられるものについて説明する。光強度、周波数又は方向を変化させる制御システムが含まれる。
【００１４】
プラットフォームを頭部に、複数の手段（眼鏡フレーム、ストラップ、引き紐、ハーネス、Ｖｅｌｃｒｏ（登録商標）、ターンダイアル、又はスナップ及びボタン）によって固定することができる。マスクが固定されると、あごから額を覆うように上方へ向けて調整されてもよい。マスクはまた、左右まで覆うように外側へ向けて調整されてもよい。加えて、いったんプラットフォームを湾曲／スライドさせて顔面領域を覆ったら、皮膚からのプラットフォームの距離を調整して、ユーザの皮膚表面に対する所望の光強度を達成することができる。したがって、光治療は３つまでの物理的方向へ最大化され得る。
【００１５】
主題の調整可能性を、調整可能なエネルギー出力、調整可能な波長、優先ゾーン、タイマなどの形で可撓性／調整可能性を高めるための、「スマート」な処理及びセンサシステムを通して実施してもよい。センサシステムのセンサは、本主題の実施形態が、色、しわ、老化斑点、座瘡、損傷密度などのためのセンサによる患者の顔面と体の皮膚の評価、並びに、優先ゾーンのエネルギーを多少とも使用してのスマート処置の計画、の能力を有すること許容するであろう。本主題の実施形態は、皮膚のタイプ、年齢、問題の総体的深刻さの観点からスマートとなり得、それに応じて処置をカスタマイズする能力を有する。
【００１６】
更に別の実施形態では、ランプは、成形可能な材料の柔軟なシート内に埋め込まれ、材料シート内のストリップとして一体成形される。
【００１７】
更に、制御システムは、装置の使用を計測又はカウントしてもよく、過去の使用を伝えてもよく、交換時期を示してもよい。
【００１８】
本開示は、したがって、改良された操作性及び光散乱を提供する十分に適応力のある、調整可能なＬＥＤ装置を記述する。
【００１９】
本開示の更なる他の実施形態では、光線療法装置が、治療ランププラットフォームを含み、治療ランププラットフォームは細長い構造物を含み、細長い構造物は凹面反射端部を含み、凹面反射端部は複数の放射ランプを含み、複数の放射ランプは、異波長放射エネルギーの混合組み合わせを有し、かつ放射エネルギーをユーザ処置領域へ伝達するように配置され、凹面反射端部は、放射放射エネルギーを複数の放射ランプからユーザ処置領域へ伝達し、凹面反射端部は、放射エネルギーをユーザ処置領域上で分散する。
【００２０】
本開示の別の実施形態では、光線療法装置が、治療ランププラットフォームを備え、治療ランププラットフォームは細長い構造物を含み、細長い構造物は凹面反射端部を含み、凹面反射端部は複数の放射ランプを含み、複数の放射ランプは、異波長放射エネルギーの混合組み合わせを有し、かつ放射エネルギーをユーザ処置領域へ伝達するように配置され、凹面反射端部は、放射放射エネルギーを複数の放射ランプからユーザ処置領域へ伝達するように構成され、凹面反射端部は放射エネルギーをユーザ処置領域上で分散する。
【００２１】
本開示の更なる他の実施形態では、光線療法装置が細長い構造物を備え、細長い構造物は、凹面反射端部と複数の放射ランプとを含み、複数の放射ランプは、放射エネルギーを凹面反射端部からユーザ処置領域へ伝達するように動作可能に配置され、凹面反射端部は、放射エネルギーをユーザ処置領域上で分散する。
【図面の簡単な説明】
【００２２】
【図１】着用可能なマスクを含む治療ランププラットフォームの一実施形態の斜視図である。
【図２】図１の装置の別の斜視図である。
【図３】図１の分解斜視図である。
【図４】図２の分解斜視図である。
【図５】コントローラＢの分解斜視図である。
【図６】図１の実施形態の二壁構造物を示す断面図であり、内壁が、治療用光をユーザに伝達するためのＬＥＤと位置合わせされた光開口部を含む図である。
【図７】垂直中心線に沿って取った第２の断面図である。
【図８】内壁開口部に対して引っ込んだＬＥＤランプの配置を例示する部分断面斜視図である。
【図９】代替的な実施形態の斜視図であり、電源及び制御回路がマスクアセンブリと一体に形成されている図である。
【図１０】図９の装置の分解図である。
【図１１】代替的な実施形態の分解図であり、マスク壁がフランジによって離間配置されている図である。
【図１２】図１の装置を収容するパッケージングアセンブリの実施形態である。
【図１３】図１１のパッケージングのお試し特徴部を例示する図であり、ユーザが装置のサンプル動作を見ることができる図である。
【図１４】動作中の装置制御のフローチャートである。
【図１５】透視スロットと第３の光吸収層とを含む代替的な実施形態の分解図である。
【図１６Ａ】図１５の組み立てた装置の立面図である。
【図１６Ｂ】図１５の組み立てた装置の立面図である。
【図１６Ｃ】図１５の組み立てた装置の立面図である。
【図１６Ｄ】図１５の組み立てた装置の立面図である。
【図１７】眼保護用ゴーグルを含む代替的な実施形態の分解図である。
【図１８】眼領域にＬＥＤ治療を適用するようなサイズのマスクを有する代替的な実施形態の分解図である。
【図１９Ａ】本開示の典型的な実施形態による光線療法スポット付与装置の斜視図である。
【図１９Ｂ】本開示の典型的な実施形態による光線療法スポット付与装置の斜視図である。
【図２０Ａ】本開示の典型的な実施形態による光線療法スポット付与装置の別の斜視図である。
【図２０Ｂ】図２０Ａに示す光線療法スポット付与装置の分解図である。
【図２１Ａ】図２０Ａに示す光線療法スポット付与装置の種々の図を例示する図である。
【図２１Ｂ】図２０Ａに示す光線療法スポット付与装置の種々の図を例示する図である。
【図２１Ｃ】図２０Ａに示す光線療法スポット付与装置の種々の図を例示する図である。
【図２１Ｄ】図２０Ａに示す光線療法スポット付与装置の種々の図を例示する図である。
【図２１Ｅ】図２０Ａに示す光線療法スポット付与装置の種々の図を例示する図である。
【図２１Ｆ】図２０Ａに示す光線療法スポット付与装置の種々の図を例示する図である。
【図２２Ａ】図２０Ａ及び２０Ｂに示す光線療法スポット付与装置のシュラウド部分の種々の図を例示する図である。
【図２２Ｂ】図２０Ａ及び２０Ｂに示す光線療法スポット付与装置のシュラウド部分の種々の図を例示する図である。
【図２２Ｃ】図２０Ａ及び２０Ｂに示す光線療法スポット付与装置のシュラウド部分の種々の図を例示する図である。
【図２２Ｄ】図２０Ａ及び２０Ｂに示す光線療法スポット付与装置のシュラウド部分の種々の図を例示する図である。
【図２２Ｅ】図２０Ａ及び２０Ｂに示す光線療法スポット付与装置のシュラウド部分の種々の図を例示する図である。
【図２３】本開示の典型的な実施形態による光線療法スポット付与装置の電気回路図である。
【図２４】本開示の典型的な実施形態による光線療法スポット付与装置に対応付けられた動作ロジックダイアグラムである。
【発明を実施するための形態】
【００２３】
主題の実施形態は、光線療法システムであって、方法及び装置（例えば、着用可能なハンドフリー装置であって、装置内の治療ランプに給電するための遠隔又は一体化されたバッテリパックを伴う、ハンドフリー装置）を含む、光線療法システムに関する。主題の装置は、光プラットフォームを含む多くの効果を示す。１つの典型的な実施形態により、プラットフォーム及び内部のランプを、人が触ることなく使用中にユーザに対して適切に置くことができる。すなわち、装置の構造構成部分は、ユーザ上にランププラットフォームを支持するばかりでなく、ユーザの処置領域に関するランプの適切な位置決めのための案内として機能する。装置の構造アセンブリは、患者の処置面に最も近い、またそれに対向する内部反射面に関してランプが凹所に置かれているので、ユーザが鋭利な又は高温の面に係合可能となることを妨げる。電力をランプに伝達する回路構成部分も壁構造中に収容される。壁開口を貫通して光る治療光はユーザへと伝達され、ランプと回路は離間された壁構造内に効果的に収容される。所望の治療処置のために適切に離間された滑らかなシームレス面が結果としてユーザに与えられ、更にその面が改良された通気を提供するので、その結果、ユーザの不快感を最小化する、美しい、魅力のある装置面がユーザに与えられる。その他の利点は、ユーザの受け入れに伴って、例えばユーザの頭部などの処置面の寸法に適合する形をなす適合性マスク形態の装置の調整可能性に関する。スマート構成部分は、装置の使用を計測するばかりでなく、ランプの劣化を推測することができるので、その結果、適切な交換時期をユーザに知らせることができる。アセンブリ全体は、ユーザの使用及び快適性のために、比較的軽量で、最少化した構成部分に、意図的に構成されている。
【００２４】
より詳細には、図１〜４を参照して、主題の実施形態はランププラットフォームＡと遠隔のバッテリパックＢとを含んでいる。プラットフォームＡは、複数の治療ランプ（例えば赤色及び青色ＬＥＤ  １２）と、電力をランプにケーブル８０を介して伝達するための回路構成１４と、バッテリパックＢから出るコネクタ８３と、を覆う壁構造物１０から構成されている。また、他の放射エネルギー形態として、蛍光、レーザ、又は赤外線を含むことができる。壁構造物１０は、スナップアウト旋回接続部２２を介して接続された支持フレーム２０上に装着される。その支持フレーム２０によって、壁構造物は、フレーム２０に対してわずかに旋回することにより位置を調整することができる。フレーム２０はまた、保護レンズ２４及び鼻梁２６を含んでいる。テンプルアーム２８はフレーム２０に対して固定してもよいし又は伸縮式でヒンジであってもよく、その結果、プラットフォームＡをユーザに、鼻部上に鼻梁２６を用いて及び耳部上にテンプルアーム２８を用いて載せることによってハンドフリーの支持方法で装着することができる。
【００２５】
図３、４、６、７、及び８を参照して、壁構造物１０が外壁５０及び内壁５２から構成されていることが分かる。外壁はユーザの処置面から最も遠くに離れて配置され、一方で、内壁５２はそれにもっと近くに配置されている。壁は水平及び垂直の両方向に凹面構成を有し、展性のある剛性を有するプラスチック材料で構築されているため、構造物１０は使用中にわずかに湾曲及び偏向させることができる。凹面は、放射を捕捉し、反射させて処置領域へ返すための多次元放物線曲率を含む。凹面がユーザの頭部よりもわずかに小さく、その結果、マスクを付与するときに湾曲させる必要があるため、密接しているが快適な締まりがユーザ上に実現され、使用中にアセンブリＡが所望の位置に保持されることが意図されている。凹面はまた、治療ランプ又はＬＥＤ  １２をユーザに対して所望の位置に配置している。壁５０と５２との間の間隔５４にはランプ１２及び回路構成１４が収容されるため、ランプ及び回路構成は安全性及び便利さを高める目的で壁の間に置かれている。間隔が装置の中間から端部５８、６０に向かって小さくなることが分かる。しかし、アセンブリ１０の端部周縁部全体は、壁が一緒になるとシールされる。このような一体合わせシールは、典型的には超音波溶着構成によって成し遂げられる。代替的に、局所シール点（図示せず）が使用されて、離間された中間部の複数のシールによって壁を共に組み立ててもよい。したがって、内側と外側マスクは異なる凹面の曲率を有し、しかしユーザに関する限り一体構造を呈する。外壁５０は主に、ランプ１２及び回路構成１４に対する支持体として機能する。図４を参照して、ランプは、光線療法処置に対して最も影響を受けやすい処置領域に放射するための所定の方法で壁５０上に配置されていることが分かる。最小数のランプ１２が意図されているが、やはり効果的な治療を提供するには十分である。代替的に、ランプを内壁５２に固定することができる。どの壁がランプを支持するかに関係なく、ランプを所望の処置領域に対して開口部７０と適切に位置合わせする必要がある。
【００２６】
複数のＬＥＤをランダムに設置するのではなく、主題のＬＥＤは、具体的に最小数とされ、処置領域と壁の双曲線反射とに関して配置され、所望の治療を成し遂げる。より詳細には、個々のランプ１２（及び対応付けられる内壁開口部７０）は、治療から利益を得る最も一般的な領域を処置するように配置されていることが分かる。本実施形態は、皮膚の座瘡の処置に便利な配置パターンを示す。別の配置パターンが確かに意図されるが、それらは、本開示の実施形態の範囲に含まれる。ここには３つのＬＥＤストリップが見られ、そのＬＥＤストリップは、典型的には中間の赤色ストリップ、その上部と底部の２つの青色ストリップを備えることになり、この頻度が座瘡の処置には最も有用である。主題の発明は、青色のみ、赤色のみ、又は任意の別の混合組み合わせのＬＥＤ、あるいは別の放射エネルギー形態パターンを含んでもよい。図示したパターンは、したがって、あご輪郭、下あご、頬、及び額上に強化された治療効果を有するが、まぶたにはそうではないことになる。光源としては、例としてＬＥＤ、蛍光、レーザ、又は赤外線があり得る。これらの光源は、放射エネルギー供給の形態では異なってもよい。パルス光（ＩＰＬ）、集束光（レーザ）、及び光エネルギーを扱う別の方法が、本実施形態に包含される。光放射の別の方法として、連続、パルス、集束、発散、多波長、単波長、可視及び／又は非可視光波長があり得る。
【００２７】
内壁５２は、処置領域に面する滑らかでシームレスな反射面から構成され、ランプに対して嵌合状態で位置合わせされた複数の開口部７０を含むため、ランプは開口部７０を通して治療用光５７を放射することができる。それに応じて、ＬＥＤ  １２は内壁５２に対して引っ込んでいて、処置面との接触が起きないようにし、またランプ自体が何らかの方法でユーザに接触されることを極めて困難にしている。このようなアセンブリは、治療光の所定の円錐を処置領域に与えるやり方で、放射治療の制御された伝達をもたらす。開口は、処置領域にわたって光分布を均一とするために、所望の処置領域と壁の双曲線構成に関して配置される。このような制御された光円錐、プラットフォーム上でのランプ自体の所定の配置、内壁５２上の内部反射面、及び鼻部と耳部との接触領域に対するプラットフォーム位置を介して行なう処置領域に対するアセンブリの制御された位置付けの組み合わせによって、光の非常に予測可能な分配パターン（光源あたり光の所定の円錐）を与えるアセンブリが与えられ、その結果、効果的な処置を得るために含める必要があるランプ１２の数が最小限になる。
【００２８】
図２、３、及び４を参照して、一実施形態は、プラットフォーム１０に対する対応付けられた支持構造物として眼鏡フレームを基本的に含む支持フレームを含む。交換レンズ２４を用いて、レンズ又はその相対形状によって与えられる保護のレベルを調整することができる。図示しないが、伸縮式テンプルアーム２８が伸縮して、ユーザの頭部サイズに対するより良好なサイジングを得てもよい。成形可能なイヤーラッチが、テンプルアームの一部として含まれてもよい。代替的に、アームは頭部ストラップを含んでもよい。旋回可能な接合部２２によって壁構造物はフレームに対して旋回することができるため、ユーザは、層をより近くに又はより遠くに移動させることによって光強度を処置領域に対して調整してもよい。前述したように、プラットフォーム１０は可撓性で凹面の放物線バイアス（parabolic bias）を伴うが、やはり展性のある剛性を有している。フレーム１０はユーザ上に受け取られときに、プラットフォーム放物線バイアスを広げてユーザのサイズに対する一致を形成するように配置される。ユーザの眼鏡フレーム基準接触点としては、ユーザの鼻根点領域、鼻筋、及び耳であってもよい。代替的に、支持フレームは鼻根点領域に依存するゴーグル及び頭部ストラップ構成を備えてもよい。
【００２９】
バッテリパックＢ（図５）は、供給電池８１と処理コントローラ８２（ワイヤ８０を通してランプと電気通信する）とを保持している。コネクタ８３とＬＥＤストリップ１２との間の配線は、線で図が乱雑になることを回避するために図示しないが、壁５０と５２との間に含まれている。バッテリパックは、オンオフスイッチ８４とユーザインターフェース８６とを含んでいる。処理コントローラ８２は、ユーザに装置使用法を指示する種々の制御システムを含んでいてもよい。このようなシステムはカウンタになるであろう。ユーザインターフェースは、制御装置の制御システムからユーザへの、種々の有用な情報のためのディスプレイを備えてもよく、その情報としては、使用回数のカウント値、そして装置が既に十分な回数使われて、ＬＥＤ自体が劣化してしまって、治療のためにはその交換が推奨されることの伝達、などがある。
【００３０】
「お試しパッケージング」（図１１及び１２）は、潜在的ユーザに例証的な使用機会を与えるが、やはりパッケージされている。主題の実施形態は更に、装置を収容するパッケージングアセンブリ２１０を含んでいる。ランプアセンブリを動作させるためのスイッチＳ１（図示せず）は、オンモード、オフモード、及びお試しモードを含む多位置効果機能を有している。お試しモードは、ユーザにランプ動作を表示するためのランプアセンブリがパッケージに含まれるときにアクセス可能である。パッケージングは、装置Ａ上に透明又は半透明のカバー２１２を含む。お試しタイムアウト回路が、ランプ動作のお試し表示時間を制限するために含まれている（例えば、２秒など）。カウンタで計測されたランプのオンタイムは、お試しモードから分離可能なので、その結果、お試し使用は実際の治療のための装置の累積使用時間には影響しないことになる。お試し使用時間は、累積使用時間に比べて無視できるであろうと推測される。
【００３１】
主題の装置は、遠隔バッテリパックを伴うウェアラブルフリーハンドフリー装置において、ユーザへの複数の利益を含む。装置は、ユーザの基準接触点を利用することによって、ヒトの接触を最少にして比較的自動の方法で、適切に位置決め可能であり、使用中は特にハンドフリーである。鋭利な面又は高温の面がユーザに係合することはない。平滑なシームレス面がユーザに対向し、処置領域から適切に離れ、処置中には通気が増進され、不快感は最小となる。
【００３２】
特に図１３に言及して、装置制御の動作の実施形態を例示するフローチャートを例示する。図１０によって動作中であると現されている装置は、２つのスイッチ、Ｓ１、Ｓ２を含み、そのうちの少なくとも一方は、エネルギー源から出るエネルギーを治療ランプへ伝達するために閉じている必要がある。Ｓ２は安全スイッチであり、装置が販売パッケージング内にあるときに開くため、Ｓ２が開いたときに「お試し」モードのみが有効になる。パッケージングから取り出した後に、Ｓ２を閉じることができ、装置を通常モードで動作させることができる。それに応じて、開始（１００）の後で、Ｓ２が開である（１０２）（例えば、装置が依然としてパッケージング内にある）状況では、システムは、スタンバイモードのままであり、ＧＵＩインターフェース（例えばＬＣＤ）はオフである（１０４）。Ｓ２は閉のままであるが（１０６）、Ｓ１が押された場合（１０８）（例えば、図１２）、装置は「お試し」モードに入ることができ（１１０）、ＬＥＤは２秒間点灯することになり、次に消灯する（１１２）。装置がパッケージ内にあるうちの、このようなユーザへの「お試し」モード動作のデモンストレーションは、ユーザに向けて実際の動作を知らせ、また購買の決定を促すことができ、又は装置がどのように動作するかについてより良く理解させる。装置がパッケージングから取り出されてＳ２が閉じていると、装置は通常モードに入る（１１４）。ＧＵＩは、ＬＣＤがカウンタ値に従って残っているサイクルの数を表示することを含む。カウンタ値（１３４）は、どんなお試しサンプリング動作の影響も受けないことに留意されたい。
【００３３】
１つの実施形態では、ユニットは５５から１へとカウントダウンすることになり、それはＬＥＤが治療用放射ランプとして使用される場合は、５５回の使用がＬＥＤのピーク動作モードから、必要なだけのＬＥＤ効率が無くなるのに十分な回数と考えられるためである。したがって、ユーザが装置を手に取ると、装置の許容できる推奨動作に対してどのくらいのサイクルが残っているかが、５５を越える使用から０までずっと、即座に分かる（１１８）。ディスプレイが０よりも大きいカウントを示し、ユーザが治療セッションに関心がある場合、ユーザはＳ１を押すことによってユニットをオンする（１２０）。ＬＥＤは約１．５秒で放射動作１２２に立ち上がり、そして連続的な放射を（１２４）、ユーザがＳ１を再び押すことによって（１２６）ユニットをオフにすることを希望する結果、ＬＥＤの立ち下がりが可能となるまで（１２８）、又は治療セッションが時間切れになる（１３０）（例えば、残りの放射が約１０分間）まで行なう。治療セッションの適切な実行時間を終了した後で、ＬＥＤは立ち下がり（１３２）、ユーザに対するＧＵＩ表示はカウンタ値１３４から１を差し引く。
【００３４】
図９及び１０を参照して、代替的な実施形態を示す。ここでは、コントローラＢがなく、エネルギー源及び処理制御がすべて、装置９０内に一体に組み立てられている。この場合、プラットフォーム２０及び壁５０、５２は、図１の装置のように実質的に同じままである。しかし、エネルギー源（例えば電池９２）が眼鏡テンプルアームの一部として配置されており、ワイヤによってエネルギーが電池９２からＬＥＤに、フレーム２０のヒンジ点を通して間隔５４内に送られて、最終的にＬＥＤ自体に接続される。ＬＣＤディスプレイ９６を含むコントローラ９４も、ユーザに対して反射壁５２の背後に収容されており、その壁５２は、スクリーン９６用の比較的小さい切り取り部分（図示せず）を含むことができる。
【００３５】
このように、図９及び１０の実施形態は、図１の実施形態よりも更にいっそうコンパクトであり、よりハンドフリーである。なぜならば、動作中にコントローラＢを何らかの形で管理する必要がないからである。
【００３６】
図１１は、更に別の代替的な実施形態を示し、外壁５０’及び内壁５２’が、異なる湾曲を用いて構成されることによって離間配置されてはいない。むしろ、壁５０’、５２’は同じ湾曲を有しているが、内壁５２は、壁周縁部からぶら下がるオフステップ３００を有して、壁５２’の表面から外壁５０’に向けて高くなったフランジを形成し、この２つの間にスペーサを効果的に形成している。一実施形態では、フランジ３００は、約８ミリメートル幅であって壁５２’の全周囲の周りに延び、また約０．５ミリメートル厚であって内壁と外壁との間に所望の間隔をもたらしている。この実施形態では、フランジ３００は内壁５２’の一部であり、前述の実施形態の場合と同様に、両方の壁は真空成形プラスチックであり、ＰＥＴ又はＰＶＣのいずれかである。図１１のアセンブリは音波溶接することも、のりで接着することも、又は両面接着剤で接着することもできる。代替的に、複数の中間シール点（図示せず）を、連続シールの代わりに使用してもよい。この実施形態では、ユーザに対してアセンブリの額部分の反対側に代替的な数のＬＥＤ  １２’が存在するため、開口部７０’及びＬＥＤ  １２’の数が前述の実施形態から減って、１８から１５になっていることが分かる。どちらの数のＬＥＤも所望の治療の実行可能な実施であるが、図１１のアセンブリの他の構成部品は前述の図に示したものと実質的に同じである。
【００３７】
図１に示す装置などからの別の代替的な実施形態は、外壁５０と内壁５２との間に作業用ＬＥＤ光を取り入れた透明な可撓性ポリマーシート（図示せず）の配置を含む。このような構成は、ＬＥＤライトを接続するワイヤ経路として働く特定の構成のカーボンナノチューブの透明な薄層でコーティングされたポリマーフィルムを含むことになる。ポリマーがユーザの接触からＬＥＤを保護することになる。このような保護ポリマーは、Ｌｕｍｉｓｙｓ（登録商標）銘柄の下で入手可能である。
【００３８】
更に別の代替的な実施形態は、このような透明な可撓性ポリマーシートを含んでいる。反射フィルムがその可撓性ポリマーシートの最上部に付与されて、ＬＥＤと反対側に切り取り部分を含んでおり、放射光が、ＬＥＤ  １２と内壁５２との間を開口部７０を通る図４の関係に示すような仕方で反射領域を通って伝達できるようになっている。この配置はまた、可撓性ポリマーシートの他方の側に可撓性の外壁５０を含んで、フィルム、反射コーティングアセンブリに展性のある剛性を与えてもよい。
【００３９】
更に別の代替的な実施形態は、複数のセンサ（図示せず）（例えば、温度又は放射エネルギーセンサ）が内壁５２に対して配置されていて、治療中にユーザの放射エネルギー暴露をモニタする。このような暴露が何らかの理由で不適切であるとみなされる場合、その検知がコントローラＢによって認識されて、治療を中断することができる。
【００４０】
図１５は、更に別の代替的な実施形態を示し、外部シールド１５０（透視スロット１５２を含む）、内部の反射シールド１５４、及び眼鏡アセンブリ１５６、及びＬＥＤストリップ１５８を含んでいる。これらの要素は、透視スロット１５２及び対応する位置合わせされたスロットを除いて、前述の実施形態と実質的に同様である。代替的に、この実施形態は、外部シールド１５０と内部シールド１５４との中間の第３の層１６０を含む。層１６０は好ましくは、薄い不透明の黒色プラスチックシートを含み、このシートは、ランプ放射を吸収又は遮断して、マスクの前面から出る（すなわち、外部シールド１５０を通って外に出る）光漏れをすべてなくす働きをする。層１６０を好ましくは外層１５０の内部に取り付けた後に、ＬＥＤストリップを層１６０に取り付ける。ストリップ１５８は、前述した効果を得るために、内部シールド１５４の内面１６２に対して引っ込んだままである。また図１５は、コントローラアセンブリケーブル１６４と眼鏡アセンブリ装着ポスト１６６を示す。眼鏡アセンブリレンズ１６８は着色されているが、ユーザが内部シールドスロット１７０、第３の層スロット１７２、及び外部シールド透視スロット１５２を通して見ることを妨げない。位置合わせされたスロット１５２、１７０、１７２は、マスクの一体部分である連続的な観察開口部を含む。層１６０のサイズは、外部シールド１５０の外周縁部から周縁部間隔が得られるように設けられている。ユニットが動作していてＬＥＤが点灯されていると、それがユーザの観察者に向けて周囲照明を提供し、その照明は、ユニットが動作中であることを知らせるのみならず、美的な快い外観の提供をも行う。
【００４１】
一実施形態では、ＬＥＤストリップ１５８は好ましくは、層１６０内の対応するポケット（図示せず）内に収容されることによって中間の第３の層１６０に取り付けられる。代替的に、それらは層１６０に接着によって付与することができる。ストリップ１５８間のワイヤは非常に細く、中間層と内部シールド１５４との間に置かれているだけであり、すなわち、特別なワイヤ配線はない。メインケーブルとストレインリリーフのための、第１のＬＥＤストリップに導く収容部がある。中間層アセンブリ全体は、内部シールド１５４内の面取りされた凹部に収まり、位置決め点が最上部／最下部及び左／右に存在する。これは両面テープで固定される。中間層／ＬＥＤストリップ／内部シールドアセンブリは、外部シールド１５０によって（また両面テープによっても）完成される。層を互いに永続的に固定するいくつかの音波溶接１８０が存在する（図１６）。組み立て斜視図１７４、１７６を示す。図１６Ａ〜１６Ｄは、組み立てたときの図１５の実施形態の立面図を示す。
【００４２】
図１７は、透視スロット１５２、１７０、１７２が省かれていて、眼鏡アセンブリ１９０はもはや着色レンズを有していないが、放射光遮蔽ゴーグル１９２を有しているという点で、図１５の実施形態とは異なる更なる別の代替的な実施形態である。図１５と同様の要素は、同じように番号付けされてプライム符号が付けられている。この実施形態では、眼は、ランプによって放射されるいかなる光からも保護される。このような実施形態は、抗加齢治療のための赤色及び赤外光の光線療法処置に特に有効である。赤色光は皮膚の色調を均一にし、粗さを減少させる。赤外光は細線としわの外観を減少させる。しかし、どんな放射エネルギーを用いた場合でも、ゴーグル１９２は眼を放射エネルギーから完全に遮蔽する。
【００４３】
図１８は更に別の実施形態であり、そこではマスクアセンブリ２２０が、患者の眼領域のみを処置するような寸法であるため、組み立てたマスクは、図１７に示すものよりも小さい。ＬＥＤストリップ１５８”は、図１６のそれとは異なる配置で配設されるが、他の要素は、基本的に同じであり、保護ゴーグル１９２”を含んでいる。
【００４４】
図１９Ａ及び１９Ｂを参照して、本開示の典型的な実施形態による光線療法スポット付与装置４００の斜視図を例示する。加えて、図２０〜２４は、図１９Ａ及び１９Ｂに示す典型的な実施形態の更なる詳細を示す。以下の説明では、にきびスポット処置に対する光線療法スポット付与の詳細を示しているが、当然のことながら、他の皮膚疾患処置は本開示の範囲内であり、例えば、限定することなく他のスポット傷処置である。
【００４５】
図１９Ａ及び１９Ｂに示すように、開示された光線療法スポット付与装置４００は、細長い管状構造４２０、ＬＥＤ  ４３７（光線療法スポット処置を供給する）、シュラウド４０４（ＬＥＤの回路構成／制御装置を覆い、傾斜した処置付与装置表面を提供する）、制御スライドスイッチ及びフット４１６を含む。光線療法スポット付与装置４００を動作させるために、ユーザはボタンスイッチ４０６を動作させて装置をオンにし、装置のＬＥＤ端部を所望の処置領域に対して直接配置する。シュラウド４０４の凹面によって、ユーザ処置領域がＬＥＤ  ４３７との直接接触から保護され、シュラウド４０４の凹面によって、ユーザ処置領域から出た放射が反射されてユーザ処置領域に戻る。シュラウド４０４の傾斜した凹面（チューブ４２０の長手方向軸に対して）によって、使いやすくするためのエルゴノミックデザインが得られ、その結果、顔面のスポット処置領域（例えば、にきび）が効果的及び効率的に処置される。
【００４６】
図２０Ａ及び２０Ｂを参照して、図２０Ａは、本開示の典型的な実施形態による光線療法スポット付与装置の別の斜視図であり、図２０Ｂは、図２０Ａに示す光線療法スポット付与装置の分解図である。
【００４７】
図示するように、典型的な光線療法スポット付与装置４００は、カバー４０２、シュラウド４０４、ボタンスイッチ４０６、フレーム４０８、ラベル４１０、正の電池接続部４１２、留め具４１４、フット４１６、電池プルタブ４１８、チューブ４２０、ナット４２２、ナットカバー４２４、電池４２６、負の電池接続部４２８、フレームカバー４３０、メインＰＣＢ（プリント回路基板）４３２、留め具４３４、ＬＥＤ  ＰＣＢ  ４３６、ＬＥＤカバー４３８、及びシュラウドリベット４４０を含む。
【００４８】
図２１Ａ〜２１Ｆを参照して、図２０Ａ及び２０Ｂに示す光線療法スポット付与の種々の図を例示する。
【００４９】
図から分かるように、シュラウド４０４の面４０５は実質的に凹面状であり、ＬＥＤ  ４３７に対する放射エネルギー伝達領域となって、光線療法（すなわち、放射線療法）をユーザ処置領域に与える。加えて、凹面状シュラウドの反射面によって、ユーザ処置領域から出た放射並びにＬＥＤから直接発せられた放射を反射してユーザ処置領域に戻すことによって、装置の効率を高める。更に、凹面シュラウドは隆起又は突出面を含んでいるため、ＬＥＤ  ４３７がユーザ処置領域（すなわち、皮膚）と何ら直接接触することなくユーザが処置領域上にシュラウド面を直接配置することが可能である。前述したように、チューブ４２０及びフレーム４０８の長手方向軸に対して傾斜しているか又は角度的にずれている面があると、使いやすくなるためのエルゴノミックデザインが得られる。当然のことながら、種々の角度ずれ角度を用いることができ、これには、光線療法スポット処置装置の細長い全体構造の長手方向軸に対して９０度よりも小さく、０度よりも大きい角度ずれを含めることができる。例えば、１５度から及び７５度、２５度から６５度まで、及び実質的に４５度である。
【００５０】
図２２Ａ〜２２Ｅを参照して、図２０Ａ及び２０Ｂに示す光線療法スポット付与装置のシュラウド部分の種々の図を例示する。
【００５１】
図２３を参照して、本開示の典型的な実施形態による光線療法スポット付与装置の電気回路図を示す。
【００５２】
図示するように、本開示の典型的な実施形態によれば、図２３には、本明細書で説明するような機能的な光線療法スポット付与をもたらす制御ＰＣＢ  ４３２及びＬＥＤ  ＰＣＢ  ４３６と動作可能に対応付けられた電子部品の配置が含まれる。具体的には、装置の電気部品は、電池Ｂ１、低電池電圧回路（構成部品Ｃ１０、Ｕ４及びＲ１０を含む）、昇圧電圧回路（構成部品Ｃ４、Ｌ１、Ｄ１、Ｃ３、及びＵ２を含む）、ブザーＢ２、発振回路（Ｙ１、Ｃ１、及びＣ２を含む）、スイッチ回路構成（ユーザ制御されたボタンスイッチ４０６（Ｓ１及びＳ２を含む）に対応付けられている）、ＬＥＤ駆動回路Ｑ１、Ｒ２、Ｒ３、及びＲ４、並びにＬＥＤ（ＬＥＤ１、ＬＥＤ２、及びＬＥＤ３）を含む。論理制御装置Ｕ１は、アルゴリズムを実施することによって与えられる命令に従って光線療法スポット付与装置の制御及び動作を実現する。これについては、図２４を参照して更に説明する。
【００５３】
図２４を参照して、本開示の典型的な実施形態による光線療法スポット付与装置に対応付けられた動作ロジックダイアグラムを示す。
【００５４】
図示するように、制御アルゴリズムは以下のように働く。
【００５５】
ステップＳ５００において、制御アルゴリズムはスタンバイモードを開始して、ユーザコントローラボタンスイッチ４０６が作動するまでそこに留まる。
【００５６】
次に、ステップ５０２において、制御アルゴリズムは、Ｓ１スイッチ接点が１秒間閉じるまで（ユーザが制御ボタンスイッチ４０６を押し下げることに対応付けられる）（Ｓ５０４）スタンバイモードに留まる。
【００５７】
次に、制御アルゴリズムは電池電圧が低いか否かを判定し（ステップＳ５０６）、電池電圧が低い場合は制御アルゴリズムは低電池モードに入り（ステップＳ５２４）、ブザーＢ２を作動させて（ステップＳ５２６）ユーザに電池を交換／再充電する必要があることを通知し、制御アルゴリズムは、装置がオフにされるまでスタンバイモードに出る（ステップＳ５２２）。
【００５８】
制御アルゴリズムが電池電圧が低いと判定した場合（ステップＳ５０６）、装置はブザーＢ２を作動させて（Ｓ５０８）電子音を１回発して、ユーザに装置が光線療法投与セッションを始めていることを通知する。
【００５９】
ステップＳ５１０において、制御アルゴリズムはＬＥＤを所望の投与電力まで０〜５秒で立ち上げて、内部の投与タイマを初期化する。
【００６０】
ステップＳ５１２において、制御アルゴリズムは、ユーザがボタン制御スイッチ４０６を押して１秒間保持するまで所望の電力でＬＥＤを連続的に駆動するか、又は制御アルゴリズムは、所定の投与時間に対応付けられる連続時間、ＬＥＤがオンであったと判定する（ステップＳ５１６）。
【００６１】
ステップＳ５１４及びＳ５１６のいずれかにおいて、光線療法投与セッションを終了させることが適切であると判定した後に、制御アルゴリズムは、ＬＥＤが供給する電力を所定の時間（例えば、１．５秒）で立ち下げる。
【００６２】
次に、制御アルゴリズムはブザーＢ２を作動させて２回の電子音を発して、ユーザに光線療法投与セッションが終了したことを通知する。
【００６３】
最後に、制御アルゴリズムはスタンバイモードＳ５０２に出る。
【００６４】
本明細書における詳細な説明の一部を、従来のコンピュータコンポーネント（例えば、ＣＰＵ（中央演算処理装置）、ＣＰＵ用のメモリ記憶装置、及び接続された表示装置）によって行なわれるデータビット上の動作のアルゴリズム及び記号表現の形で与える。これらのアルゴリズムの記載及び表現は、それらの動作の内容を当業者に最も効果的に伝えるためにデータ処理技術において当業者が用いる手段である。アルゴリズムとは、望ましい結果に至るステップの自己矛盾のないシーケンスとして全般的に理解されている。ステップは、物理量の物理的な操作を必要とするものである。通常、必ずしも必要ではないが、これらの量は、記憶し、転送し、結合し、比較し、及び他の方法で操作することができる電気又は磁気信号という形を取る。時々、主として共通使用の理由から、これらの信号を、ビット、値、要素、記号、文字、用語、数などということが好都合であることが分かっている。
【００６５】
しかし当然のことながら、これら及び同様の用語はすべて適切な物理量に対応付けられるべきであり、単にこれらの量に適用される好都合な標示であるにすぎない。特に記載のない限り、本明細書の説明から明らかなように、当然のことながら、説明の全体に渡って、用語例えば「処理する」又は「算出する」又は「計算する」又は「決定する」又は「表示する」などの用語を用いる説明は、コンピュータシステムのレジスタ及びメモリ内の物理（電子）量として表されるデータを操作して、コンピュータシステムメモリ又はレジスタ又は他のこのような情報記憶、伝達、又は表示装置内の物理量として同様に表される他のデータに変換するコンピュータシステム（又は同様の電子コンピューティング装置）の動作及びプロセスに言及する。
【００６６】
典型的な実施形態はまた、本明細書で説明した動作を行なうための装置に関する。この装置は、必要な目的のために特別に構築されてもよく、あるいはコンピュータに記憶されるコンピュータプログラムによって選択的に起動又は再構成される、汎用コンピュータを含んでもよい。このようなコンピュータプログラムを、以下のようなコンピュータ可読記憶媒体に記憶してもよい。この媒体とは、例えば、限定することなく、任意のタイプのディスク、例えば、フロッピーディスク、光ディスク、ＣＤ−ＲＯＭ、及び光磁気ディスク、読み出し専用メモリ（ＲＯＭ）、ランダムアクセスメモリ（ＲＡＭ）、ＥＰＲＯＭ、ＥＥＰＲＯＭ、磁気若しくは光カード、又は任意のタイプの媒体であって、電子命令の記憶に適したもの、及びコンピュータシステムバスに結合されたそれぞれ。
【００６７】
本明細書で示したアルゴリズム及びディスプレイは本来的に、何らかの特定のコンピュータ又は他の装置に関係したものではない。本明細書の教示により種々の汎用システムをプログラムと共に用いてもよいし、又は本明細書で説明する方法を実行するためのより特化された装置を構築することが好都合であると分かる場合がある。種々のこれらのシステムに対する構造が前述の説明から明らかである。加えて、典型的な実施形態は、何らかの特定のプログラミング言語を参照して説明してはいない。当然のことながら、種々のプログラミング言語を用いて、本明細書で説明した典型的な実施形態の教示を実施してもよい。
【００６８】
機械可読媒体には、機械（例えばコンピュータ）によって読取可能な形状で情報を記憶又は伝達するための任意のメカニズムが含まれる。例えば、機械可読媒体には、例を少し挙げると、読み出し専用メモリ（「ＲＯＭ」）、ランダムアクセスメモリ（「ＲＡＭ」）、磁気ディスク記憶媒体、光記録媒体、フラッシュメモリ装置、及び電気、光学、音響、又は他の形態の伝搬信号（例えば、搬送波、赤外線信号、デジタル信号など）が挙げられる。
【００６９】
明細書の全体にわたって例示した方法は、コンピュータ上で実行してもよいコンピュータプログラム製品において実施してもよい。コンピュータプログラム製品は、ディスク、ハードドライブなどの、非一時的なコンピュータ可読記録媒体（制御プログラムが記録される）を含んでいてもよい。非一時的なコンピュータ可読媒体の一般的な形式としては、例えば、フロッピーディスク、フレキシブルディスク、ハードディスク、磁気テープ、又は任意の他の磁気的な記憶媒体、ＣＤ−ＲＯＭ、ＤＶＤ、又は任意の他の光媒体、ＲＡＭ、ＰＲＯＭ、ＥＰＲＯＭ、フラッシュＥＰＲＯＭ、又は他のメモリチップ若しくはカートリッジ、又は任意の他の有形的表現媒体（ここからコンピュータが読んで用いることができる）が挙げられる。
【００７０】
代替的に、本方法は、一時的な媒体、例えば伝達可能な搬送波（制御プログラムが、伝送媒体、例えば音響又は光波、例えば電波及び赤外線データ通信の間に生成されるものなどを用いてデータ信号として具体化される）で実施してもよい。
【００７１】
上述した開示及び他の特徴、並びに機能の変形、又はその代替物は、他の多くの異なるシステム又は用途と組み合わされてもよいことが理解される。本明細書では目下予見できない又は不測の代替物、修正、変形又は改善はその後に当業者によってなされることができ、これらはまた添付の特許請求の範囲により網羅されるものとする。
【００７２】
〔実施の態様〕
（１）  光線療法装置であって、
治療ランププラットフォームを備え、前記治療ランププラットフォームは細長い構造物を備え、前記細長い構造物は凹面反射端部を含み、前記凹面反射端部は複数の放射ランプを含み、前記複数の放射ランプは、異波長放射エネルギーの混合組み合わせを有し、かつ前記放射エネルギーをユーザ処置領域へ伝達するように配置され、前記凹面反射端部は、前記放射放射エネルギー（radiation radiant energy）を前記複数の放射ランプから前記ユーザ処置領域へ伝達するように構成され、前記凹面反射端部は、前記放射エネルギーを前記ユーザ処置領域上で分散する、光線療法装置。
（２）  前記凹面反射端部は、前記細長い構造物の長手方向軸から角度的にずれている、実施態様１に記載の光線療法装置。
（３）  前記複数の放射ランプは、前記細長い構造物の前記長手方向軸からの前記角度的ずれに対して実質的に装着及び位置合わせされている、実施態様２に記載の光線療法装置。
（４）  前記細長い構造物は、
前記細長い構造物内に収容されたメイン回路基板と、
電池と、
制御ボタンと、を更に含み、
前記メイン回路基板、前記電池、及び前記制御ボタンは、前記複数の放射ランプを制御するように動作可能に接続されている、実施態様１に記載の光線療法装置。
（５）  前記凹面反射端部を覆う取り外し可能なエンドキャップを更に備える、実施態様１に記載の光線療法装置。
【００７３】
（６）  前記複数の放射ランプ上に設けられた固定カバーを更に備え、前記固定カバーは、前記複数の放射ランプから前記ユーザ処置領域に伝達される前記放射エネルギーに対して透明である、実施態様１に記載の光線療法装置。
（７）  前記凹面反射端部は、前記放射エネルギーを伝達するための１つ又は２つ以上の開口部を含む、実施態様１に記載の光線療法装置。
（８）  放射エネルギー投与時間（radiant energy dosage time duration）を制御するように構成されたコントローラを更に備える、実施態様１に記載の光線療法装置。
（９）  光線療法装置であって、
細長い構造物を備え、前記細長い構造物は、凹面反射端部と複数の放射ランプとを含み、前記複数の放射ランプは、放射エネルギーを前記凹面反射端部からユーザ処置領域へ伝達するように動作可能に配置され、前記凹面反射端部は、前記放射エネルギーを前記ユーザ処置領域上で分散する、光線療法装置。
（１０）  前記凹面反射端部は、前記細長い構造物の長手方向軸から角度的にずれている、実施態様９に記載の光線療法装置。
【００７４】
（１１）  前記複数の放射ランプは、前記細長い構造物の前記長手方向軸からの前記角度的ずれに対して実質的に装着及び位置合わせされている、実施態様９に記載の光線療法装置。
（１２）  前記細長い構造物は、
前記細長い構造物内に収容されたメイン回路基板と、
電池と、
制御ボタンと、を更に含み、
前記メイン回路基板、前記電池、及び前記制御ボタンは、前記複数の放射ランプを制御するように動作可能に接続されている、実施態様９に記載の光線療法装置。
（１３）  前記凹面反射端部を覆う取り外し可能なエンドキャップを更に備える、実施態様９に記載の光線療法装置。
（１４）  前記複数の放射ランプ上に設けられた固定カバーを更に備え、前記固定カバーは、前記複数の放射ランプから前記ユーザ処置領域に伝達される前記放射エネルギーに対して透明である、実施態様９に記載の光線療法装置。
（１５）  前記凹面反射端部は、前記放射エネルギーを伝達するための１つ又は２つ以上の開口部を含む、実施態様９に記載の光線療法装置。
【００７５】
（１６）  放射エネルギー投与時間を制御するように構成されたコントローラを更に備える、実施態様９に記載の光線療法装置。
【図１】
2018518311.tif 000003
【図２】
2018518311.tif 000004
【図３】
2018518311.tif 000005
【図４】
2018518311.tif 000006
【図５】
2018518311.tif 000007
【図６】
2018518311.tif 000008
【図７】
2018518311.tif 000009
【図８】
2018518311.tif 000010
【図９】
2018518311.tif 000011
【図１０】
2018518311.tif 000012
【図１１】
2018518311.tif 000013
【図１２】
2018518311.tif 000014
【図１３】
2018518311.tif 000015
【図１４】
2018518311.tif 000016
【図１５】
2018518311.tif 000017
【図１６Ａ】
2018518311.tif 000018
【図１６Ｂ】
2018518311.tif 000019
【図１６Ｃ】
2018518311.tif 000020
【図１６Ｄ】
2018518311.tif 000021
【図１７】
2018518311.tif 000022
【図１８】
2018518311.tif 000023
【図１９Ａ】
2018518311.tif 000024
【図１９Ｂ】
2018518311.tif 000025
【図２０Ａ】
2018518311.tif 000026
【図２０Ｂ】
2018518311.tif 000027
【図２１Ａ】
2018518311.tif 000028
【図２１Ｂ】
2018518311.tif 000029
【図２１Ｃ】
2018518311.tif 000030
【図２１Ｄ】
2018518311.tif 000031
【図２１Ｅ】
2018518311.tif 000032
【図２１Ｆ】
2018518311.tif 000033
【図２２Ａ】
2018518311.tif 000034
【図２２Ｂ】
2018518311.tif 000035
【図２２Ｃ】
2018518311.tif 000036
【図２２Ｄ】
2018518311.tif 000037
【図２２Ｅ】
2018518311.tif 000038
【図２３】
2018518311.tif 000039
【図２４】
2018518311.tif 000040
【国際調査報告】
2018518311.tif 000041
2018518311.tif 000042
2018518311.tif 000043
2018518311.tif 000044
2018518311.tif 000045